(57)【要約】  【課題】  製造が容易で、強度的にも優れ、所望の立体形状または平面形状を長期にわたって維持可能な工芸品を提供すること。  【解決手段】  可撓性を有し、且つ自重では変形しない線材Ｓ、即ち、籐やステンレス・銀・アルミニウム等の金属線材や、和紙で作製したこより等を鎖状に連続的に編んで立体的に形成し、あかりとり１のランプシェード２を作製する。前記線材Ｓを用いた編み方としては、鈎針７や指、あるいは手動編み機や自動編み機を用いて糸目を作りながら糸目の中から線材Ｓを引き出し、これを繰り返すことにより鎖編みをし、立体形状に作製することができる。  【選択図】  図１
2005281929.tif 000002
【特許請求の範囲】
【請求項１】
可撓性を有し、且つ自重では変形しない籐、金属等の線材を鎖状に編んで連続形成することにより、所望の立体形状または平面形状としたことを特徴とする工芸品。
【請求項２】
可撓性を有し、且つ自重では変形しない籐、金属等の線材を鎖状に編んだものを輪にして順次広がるように編んで連続形成することにより、所望の立体形状または平面形状としたことを特徴とする工芸品。
【請求項３】
可撓性を有し、且つ自重では変形しない籐、金属等の線材を鎖編で編んで連続形成することにより、所望の立体形状または平面形状としたことを特徴とする工芸品。
【請求項４】
可撓性を有し、且つ自重では変形しない籐、金属等の線材を長編で編んで連続形成することにより、所望の立体形状または平面形状としたことを特徴とする工芸品。
【請求項５】
可撓性を有し、且つ自重では変形しない籐、金属等の線材を細編で編んで連続形成することにより、所望の立体形状または平面形状としたことを特徴とする工芸品。
【発明の詳細な説明】
【技術分野】
【０００１】
本発明は、籐、金属等の線材を用いた工芸品に関するもので、美術工芸品、装飾性に優れた日用品や家具、建物の飾り品などに利用できるものである。
【背景技術】
【０００２】
従来のこの種の工芸品としては、例えば、籐ひごで形成したループの複数本を中心部で互いに交差させて放射状に配列すると共に交差部を長い籐ひごで複数回周回するように結束した編み組織を設けて各ループを固定することにより意匠ユニットを形成し、この意匠ユニットの隣接するループを互いに交差させて屈曲自在に多数連結し、立体形状に形成した籐製の衣服が知られている（例えば、特許文献１参照）。
【特許文献１】特公平２−５０２０５号公報
【発明の開示】
【発明が解決しようとする課題】
【０００３】
しかしながら、上述した工芸品では、所望の形状にするのに意匠ユニットを多数連結しなければならず、手間がかかるものであると共に、強度的にも弱く、型崩れしやすいなどの欠点があった。
【０００４】
そこで本発明は、上述した問題点に鑑みてなされたものであり、製造が容易で、強度的にも優れ、所望の立体形状または平面形状を長期にわたって維持可能な工芸品を提供することを目的とする。
【課題を解決するための手段】
【０００５】
このため工芸品に係る第１の発明は、可撓性を有し、且つ自重では変形しない籐、金属等の線材を鎖状に編んで連続形成することにより、所望の立体形状または平面形状としたことを特徴とする。
【０００６】
また工芸品に係る第２の発明は、可撓性を有し、且つ自重では変形しない籐、金属等の線材を鎖状に編んだものを輪にして順次広がるように編んで連続形成することにより、所望の立体形状または平面形状としたことを特徴とする工芸品。
【０００７】
更に工芸品に係る第３の発明は、可撓性を有し、且つ自重では変形しない籐、金属等の線材を鎖編で編んで連続形成することにより、所望の立体形状または平面形状としたことを特徴とする。
【０００８】
工芸品に係る第４の発明は、可撓性を有し、且つ自重では変形しない籐、金属等の線材を長編で編んで連続形成することにより、所望の立体形状または平面形状としたことを特徴とする。
【０００９】
工芸品に係る第５の発明は、可撓性を有し、且つ自重では変形しない籐、金属等の線材を細編で編んで連続形成することにより、所望の立体形状または平面形状としたことを特徴とする。
【発明の効果】
【００１０】
本発明によれば、可撓性を有し、かつ、自重では変形しない籐、金属等の線材を鎖状に編んで連続形成され、所望の立体形状または平面形状としたものであるから、多数の意匠ユニットを連結することなく、所望の立体形状または平面形状の装飾品を容易に製造することができ、型崩れがなく、強度的にも優れている。また、鎖と輪を組み合わせたり、輪と鎖を交互に絡げて編むことにより、各部分における装飾性を高めることもできる。
【発明を実施するための最良の形態】
【００１１】
以下、本発明を実施するための最良の形態について、図面を参照しながら説明する。図１はあかりとり１であり、このあかりとり１のランプシェード２として本発明の工芸品が使われている。３は球状の蛍光灯、４はソケット、５はスイッチ、６は平面視円形状の台座、８は商用電源に接続されるプラグを備えた電源コードであり、前記台座６の上縁部６Ａにランプシェード（工芸品）２の下端部が載置されている。
【００１２】
前記ランプシェード２は、可撓性を有し、且つ自重では変形しない線材Ｓ、即ち、籐やステンレス・銀・アルミニウム等の金属線材や、和紙で作製したこより等を鎖状に連続的に編んで立体的に形成したものである。
【００１３】
前記線材Ｓを用いた編み方としては、図２乃至図５に示すように、鈎針７や指、あるいは手動編み機や自動編み機（図示せず）を用いて糸目を作りながら糸目の中から線材Ｓを引き出し、これを繰り返すことにより鎖編をし、立体形状に作製することができる。なお、図６に示すように鎖編をして輪にすることもできる。
【００１４】
また、図７に示すように、輪に鎖を順次絡げて細編にしたり、図示しないが輪に長い鎖を順次絡げて長編としてもよい。
【００１５】
このようにして作成したランプシェード２は、線材Ｓを連続的に編みながら立体形状としたものであるから、従来のように多数の意匠ユニットを連結するものに比べて製造が容易であり、可撓性を有し、且つ自重では変形しない線材Ｓでできているので、型崩れがなく、強度的にも優れたものである。しかも、線材Ｓと線材Ｓの間に適度な隙間が保たれているので、特に金属製線材を用いた場合には蛍光灯３の光が直接あるいは反射しながら外に導かれ、雰囲気の良い間接照明をも演出でき、通風性や装飾性にも優れている。
【００１６】
また、あかりとり１のランプシェード２を例に説明したが、本発明は、種々の工芸品に適用できるものである。例えば、美術工芸品としてのタペストリーや、バッグ・帽子等の日用品、アクセサリーや人形など、立体形状や平面形状の装飾品に適用できるものである。
【００１７】
さらにまた、輪を作り目として、中心から外方に広がるように細編又は長編をして、角型、菱形、楕円形、丸形など、平面的に自由自在に形成した装飾品としたり、曲線を描きながら立体的に自由自在に形成した装飾品とすることができ、窓の飾りや欄間のような住宅部品やトレイ、茶たく（コースター）など敷物、座布団としても利用でき、多種多様に利用できるものである。
【００１８】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００１９】
【図１】あかりとりのランプシェードに適用した例を示す斜視図である。
【図２】線材の鎖編の作り目の説明図である。
【図３】同じく線材の鎖編の作り目の説明図である。
【図４】同じく線材の鎖編の説明図である。
【図５】同じく線材の鎖編の説明図である。
【図６】鎖編を輪にする説明図である。
【図７】輪を作り目として細編で順次編んでゆく説明図である。
【符号の説明】
【００２０】
２              ランプシェード（工芸品）
Ｓ              線材
【図１】
2005281929.tif 000003
【図２】
2005281929.tif 000004
【図３】
2005281929.tif 000005
【図４】
2005281929.tif 000006
【図５】
2005281929.tif 000007
【図６】
2005281929.tif 000008
【図７】
2005281929.tif 000009